(57)【要約】【課題】見栄えの良い太陽電池部品およびこれを搭載した電気部品、電子機器を提供する。【解決手段】太陽電池部品１では、太陽電池セルと太陽電池部品１が搭載される接合部材３とを電気的に接続する２つ以上の端子４と、１つ以上の突起部６とを備え、前記２つ以上の端子４と前記１つ以上の突起部６とは、前記太陽電池セルの、接合部材３の実装面７と対向する面５に形成され、全ての端子４と全ての突起部６とは、１直線上に並んでいない。よって、２つ以上の端子４と１つ以上の突起部６とから成る３つ以上の支持部を面５側に備え、３つ以上の前記支持部により、太陽電池部品１は実装面７に対して平行に保たれる。よって、太陽電池部品１、接合部材３の実装面７に対して平行が保たれるので、見栄えが良いという利点がある。【選択図】図１
2011023672.tif 000002
【特許請求の範囲】
【請求項１】
１つ以上の太陽電池セルを備えた太陽電池部品であって、
前記太陽電池セルと前記太陽電池部品が搭載される接合部材とを電気的に接続する２つ以上の端子と、１つ以上の突起部とを備え、
前記２つ以上の端子と前記１つ以上の突起部とは、前記太陽電池セルの、前記接合部材の接合面と対向する面に形成され、
全ての前記端子と全ての前記突起部とは、１直線上に並んでいないことを特徴とする太陽電池部品。
【請求項２】
前記端子と前記突起部とは、同一の材料から成ることを特徴とする請求項１に記載の太陽電池部品。
【請求項３】
前記端子のうち１つ以上がはんだから成ることを特徴とする請求項１または２に記載の太陽電池部品。
【請求項４】
前記突起部のうち１つ以上がはんだから成ることを特徴とする請求項１〜３のいずれか１項に記載の太陽電池部品。
【請求項５】
前記端子のうち１つ以上がリードフレームであることを特徴とする請求項１〜４のいずれか１項に記載の太陽電池部品。
【請求項６】
前記突起部のうち１つ以上がリードフレームから成ることを特徴とする請求項１、２、３または５に記載の太陽電池部品。
【請求項７】
１つ以上の太陽電池セルを備えた太陽電池部品であって、
前記太陽電池セルと前記接合部材とを電気的に接続する３つ以上の端子を備え、
前記３つ以上の端子は、前記太陽電池セルの、前記接合部材の接合面と対向する面に形成され、
全ての前記端子は、１直線上に並んでいないことを特徴とする太陽電池部品。
【請求項８】
前記端子よりも前記太陽電池部品の外周部に近い位置に、突起部が形成されていることを特徴とする請求項７に記載の太陽電池部品。
【請求項９】
前記端子のうち１つ以上がはんだから成ることを特徴とする請求項７または８に記載の太陽電池部品。
【請求項１０】
前記端子のうち１つ以上がリードフレームであることを特徴とする請求項７〜９のいずれか１項に記載の太陽電池部品。
【請求項１１】
請求項１〜１０のいずれか１項に記載の太陽電池部品を備えることを特徴とする電気部品。
【請求項１２】
前記太陽電池部品が、前記接合部材に対して、平行に保持されていることを特徴とする請求項１１に記載の電気部品。
【請求項１３】
請求項１〜１０のいずれか１項に記載の太陽電池部品を備えることを特徴とする電子機器。
【発明の詳細な説明】
【技術分野】
【０００１】
本発明は、太陽電池部品およびこれを搭載した電気部品、電子機器に関するものである。
【背景技術】
【０００２】
近年、省エネルギーと創エネルギーとの観点より太陽光発電が注目を集めており、住宅向けの民生用太陽光発電システムなどが普及しつつある。また、大型であり設置タイプの太陽光発電システム以外にも、携帯電話等に搭載可能な太陽電池モジュールや、小型で携帯可能な太陽光発電システムが登場している。特に日照時間の長い地域などでは、緊急時の携帯電話や携帯機器への充電手段として小型の太陽電池部品は非常に有効である。
【０００３】
例えば特許文献１では、携帯電話に取り付けられた太陽電池の充電方法が開示されている。
【先行技術文献】
【特許文献】
【０００４】
【特許文献１】特開２００８−８５７９７号公報（２００８年０４月１０日公開）
【発明の概要】
【発明が解決しようとする課題】
【０００５】
太陽電池部品では、主に光が当たる面の逆側に正極や負極を設け、そこから電力を取り出す。太陽電池部品の中でも比較的大きなものについては、図２０（ａ）〜（ｄ）の太陽電池部品１０１に示すように電気的な接続と構造的な接合を別々に行った実装が可能である。図２０の太陽電池部品１０１では、電気的な接続は、引き出し電極１０２，１０３にはんだ付けしたリード線１０４，１０５を介して行い、構造的な接合は、接着部１０６に塗布された不導体接着剤にて行っている。引き出し電極１０２，１０３及びリード線１０４，１０５は、一方が＋であり、他方が−である。例えば引き出し電極１０２及びリード線１０４が＋であれば、引き出し電極１０３及びリード線１０５は−である。そして、図２０の太陽電池部品１０１において、太陽光が入射する側の表面、即ち受光面１０７に対して、引き出し電極１０２，１０３及び接着部１０６が形成されるのは、受光面１０７の反対側にある表面、即ち裏面１０８である。
【０００６】
図２０の従来の太陽電池部品１０１は、図２０（ｃ）に示すように、接合部材１０９に接合される。接合部材１０９は、例えば実装基板や電子機器の筐体であり、接合には接着剤やビスなどが用いられる。図２０（ｄ）は、接合部材１０９に接合された太陽電池部品１０１と、リード線１０４，１０５を示している。リード線１０４，１０５の先端１１１，１１２は、実装基板のランド等に接続される。
【０００７】
また、図２１には、従来の太陽電池部品１０１における別の接合形態を示す。図２１の従来の太陽電池部品１０１は、図２１（ｃ）に示すように、接合部材１０９に接合される。接合部材１０９には穴１１０が形成されており、リード線１０４，１０５は、太陽電池部品１０１の接合部材１０９への接合時に、穴１１０を通して引き出される。図２１（ｄ）は、接合部材１０９に接合された太陽電池部品１０１と、穴１１０を通して引き出されたリード線１０４，１０５を示している。穴１１０を通して引き出されたリード線１０４，１０５の先端１１１，１１２は、実装基板のランド等に接続される。
【０００８】
比較的大きな太陽電池部品とは異なり、小型の太陽電池部品、例えばＩＣやＬＳＩ等のパッケージと同じ程度の大きさ或いはそれらよりも小さな太陽電池部品の場合には、実装する面積を小さく、高さを低くする事が求められる。そのため、電気的な接続と構造的な接合とを同時に行える構造とする必要がある。電気的な接続と構造的な接合とを同時に行うための手法としては、はんだ付けや導電性接着剤による接着がある。図２２に、電気的な接続と構造的な接合とを同時に行う従来の太陽電池部品１１３を示す。図２２に示した太陽電池部品１１３は、はんだ端子１１４を備えており、はんだ端子１１４を接合部材１０９にはんだ付けする。これにより、図２２（ｂ）に示すように、太陽電池部品１１３の電気的な接続と太陽電池部品１１３の構造的な接合とが同時になされる。
【０００９】
しかしながら、図２２に示すように従来の手法にて、太陽電池部品の電気的な接続と太陽電池部品の構造的な接合とを同時に行った場合、図２２（ｂ）に示すように実装面に対し太陽電池部品１１３が傾斜してしまう。そのため、太陽電池部品は外部から見えるため、実装面に対して傾斜していると製品として見栄えが悪いという問題もあった。また、太陽光などの光が太陽電池部品に垂直に入射せず、発電効率が低下するという問題があった。
【００１０】
本発明は上記の問題点に鑑みてなされたものであり、その目的は、見栄えの良い太陽電池部品およびこれを搭載した電気部品、電子機器を提供することにある。
【課題を解決するための手段】
【００１１】
本発明の太陽電池部品は、上記課題を解決するために、１つ以上の太陽電池セルを備えた太陽電池部品であって、前記太陽電池セルと前記太陽電池部品が搭載される接合部材とを電気的に接続する２つ以上の端子と、１つ以上の突起部とを備え、前記２つ以上の端子と前記１つ以上の突起部とは、前記太陽電池セルの、前記接合部材の接合面と対向する面に形成され、全ての前記端子と全ての前記突起部とは、１直線上に並んでいないことを特徴とする。
【００１２】
上記発明によれば、前記太陽電池部品は、前記２つ以上の端子と前記１つ以上の突起部とから成る３つ以上の支持部を前記面側に備え、３つ以上の前記支持部により、前記太陽電池部品は前記接合面に対して平行に保たれる。
【００１３】
よって、前記太陽電池部品は、前記接合面に対して平行が保たれる。このため、見栄えが良いという利点がある。
【００１４】
また、前記太陽電池部品は光の入射に対し垂直に保たれる。このため、発電効率の低下を防止出来る。
【００１５】
前記太陽電池部品では、前記端子と前記突起部とは、同一の材料から成ってもよい。これにより、一回の工程で同時に端子と突起部を作ることができる為、工程を簡略化でき、製造コストを下げることが可能となる。
【００１６】
また、前記太陽電池部品では、前記端子のうち１つ以上がはんだから成ってもよい。
【００１７】
さらに、前記太陽電池部品では、前記突起部のうち１つ以上がはんだから成ってもよい。
【００１８】
さらに、前記太陽電池部品では、前記端子のうち１つ以上がリードフレームであってもよい。
【００１９】
さらに、前記太陽電池部品では、前記突起物のうち１つ以上がリードフレームであってもよい。
【００２０】
本発明の太陽電池部品は、上記課題を解決するために、１つ以上の太陽電池セルを備えた太陽電池部品であって、前記太陽電池セルと前記接合部材とを電気的に接続する３つ以上の端子を備え、前記３つ以上の端子は、前記太陽電池セルの、前記接合部材の接合面と対向する面に形成され、全ての前記端子は、１直線上に並んでいないことを特徴とする。
【００２１】
上記発明によれば、前記太陽電池部品は、前記３つ以上の端子から成る３つ以上の支持部を前記面側に備え、３つ以上の前記支持部により、前記太陽電池部品は前記接合面に対して平行に保たれる。
【００２２】
よって、前記太陽電池部品は、前記接合面に対して平行が保たれる。このため、見栄えが良いという利点がある。
【００２３】
また、前記太陽電池部品は光の入射に対し垂直に保たれる。このため、発電効率の低下を防止出来る。
【００２４】
前記太陽電池部品では、前記端子よりも前記太陽電池部品の外周部に近い位置に、突起部が形成されもよい。該突起部により、前記端子に印加される応力を緩和出来る。
【００２５】
また、前記太陽電池部品では、前記端子のうち１つ以上がはんだから成ってもよい。
【００２６】
さらに、前記太陽電池部品では、前記端子のうち１つ以上がリードフレームであってもよい。
【００２７】
本発明の電気部品は、上記いずれかの太陽電池部品を備えるので、見栄えが良いという利点がある。
【００２８】
また、前記電気部品では、前記太陽電池部品が、前記接合部材に対して、平行に保持されてもよい。
【００２９】
本発明の電子機器は、上記いずれかの太陽電池部品を備えるので、見栄えが良いという利点がある。
【発明の効果】
【００３０】
本発明の太陽電池部品は、以上のように、太陽電池セルと接合部材とを電気的に接続する２つ以上の端子と、１つ以上の突起部とを備え、前記２つ以上の端子と前記１つ以上の突起部とは、前記太陽電池セルの、前記接合部材の接合面と対向する面に形成され、全ての前記端子と全ての前記突起部とは、１直線上に並んでいないものである。
【００３１】
また、本発明の太陽電池部品は、以上のように、太陽電池セルと接合部材とを電気的に接続する３つ以上の端子を備え、前記３つ以上の端子は、前記太陽電池セルの、前記接合部材の接合面と対向する面に形成され、全ての前記端子は、１直線上に並んでいないものである。
【００３２】
それゆえ、見栄えが良い太陽電池部品およびこれを搭載した電気部品、電子機器を提供するという効果を奏する。
【図面の簡単な説明】
【００３３】
【図１】本発明の実施形態に係る太陽電池部品の斜視図である。
【図２】図１の太陽電池部品を接合部材上に配置した状態を示す正面図である。
【図３】接合部材上に実装された図１の太陽電池部品を示す正面図である。
【図４】比較のための、従来の太陽電池部品の斜視図である。
【図５】図４の太陽電池部品を接合部材上に配置した状態を示す正面図である。
【図６】接合部材上に実装された図４の太陽電池部品を示す正面図である。
【図７】本発明の実施形態に係る他の太陽電池部品の斜視図である。
【図８】図７の太陽電池部品を接合部材上に配置した状態を示す正面図である。
【図９】接合部材上に実装された図７の太陽電池部品を示す正面図である。
【図１０】本発明の実施形態に係るさらに別の太陽電池部品の斜視図である。
【図１１】図１０の太陽電池部品を接合部材上に配置した状態を示す正面図である。
【図１２】接合部材上に実装された図１０の太陽電池部品を示す正面図である。
【図１３】本発明の他の実施形態に係る太陽電池部品を裏面から見た平面図である。
【図１４】図１３の太陽電池部品を接合部材上に配置した状態を示す正面図である。
【図１５】接合部材上に実装された図１３の太陽電池部品を示す正面図である。
【図１６】（ａ）及び（ｂ）は、図１５の太陽電池部品と該太陽電池部品を実装した接合部材とが熱せられ、変形した状態を示す正面図である。
【図１７】図１５の太陽電池部品において、突起部を持たない従来の太陽電池部品を裏面から見た平面図である。
【図１８】（ａ）及び（ｂ）は、図１５の太陽電池部品において、突起部を持たない太陽電池部品と該太陽電池部品を実装した接合部材とが熱せられ、変形した状態を示す正面図（模式図）である。
【図１９】本発明の電子機器の一例を示す図であり、（ａ）〜（ｄ）は、本発明の実施形態に係る、太陽電池部品を搭載した折り畳み式の携帯電話を示す図である。
【図２０】（ａ）〜（ｄ）は、従来の太陽電池部品の斜視図である。
【図２１】（ａ）〜（ｄ）は、従来の太陽電池部品の斜視図である。
【図２２】（ａ）〜（ｂ）は、電気的な接続と構造的な接合とを同時に行う従来の太陽電池部品の正面図である。
【発明を実施するための形態】
【００３４】
〔実施の形態１〕
本発明の一実施形態について図１〜図１２及び図１９に基づいて説明すると以下の通りである。
【００３５】
図１は、本発明の実施形態に係る太陽電池部品１の斜視図である。太陽電池部品１は、パッケージ２が有する１つ以上の図示しない太陽電池セルと、後述する外部の接合部材３とを電気的に接続するための端子４を２つ備え、端子４を備える面（接合面と対向する面）５と同一の面５に２つの突起部６を備えている。太陽電池部品１では、全ての端子４と全ての突起部６とは、１直線上には並んでいないが、端子４の内の１つと突起部６の内の１つとが、Ｘ方向またはＹ方向において並んでいても良い。また、端子４は、はんだで形成されている。端子４は例えばはんだボールであり、突起部６の形状は例えば円柱である。
【００３６】
図２は、図１の太陽電池部品１を接合部材３上に配置した状態を示す正面図である。接合部材３は太陽電池部品１が搭載される部材であり、例えば実装基板や電子機器の筐体である。図２に示す状態では、端子４は、接合部材３上のランド等と接触はしているものの、電気的な接続及び構造的な接合はされていない。
【００３７】
図３は、接合部材３上に実装された太陽電池部品１を示す正面図である。接合部材３上における太陽電池部品１の実装は、接合部材３が実装基板であれば例えばリフローにより行われ、接合部材３が電子機器の筐体であれば該筐体が有する接続部にはんだ付けすることにより行われる。図３に示す状態では、端子４は、接合部材３のランド等と電気的に接続され、かつ構造的に接合されている。図３に示したように、実装後の太陽電池部品１は、接合部材３の実装面（接合部材の接合面）７に対して平行となる。
【００３８】
なお、太陽電池部品１では、端子４は２つ以上であればよく、突起部６は１つ以上であればよい。２つ以上の端子４と１つ以上の突起物６とから成る３つ以上の支持部により、太陽電池部品１は実装面７に対して平行に保たれる。
【００３９】
また、突起部６を形成しない代わりに、端子４を３つ以上形成しても良い。この場合でも、３つ以上の端子４から成る３つ以上の支持部により、太陽電池部品１は後述する実装面７に対して平行に保たれる。
【００４０】
太陽電池部品１は、実装面７に対して平行が保たれる。このため、見栄えが良いという利点がある。
【００４１】
また、太陽電池部品１は光の入射に対し垂直に保たれる。このため、発電効率の低下を防止出来る。
【００４２】
太陽電池部品１では、端子４と突起部６とは、同一の材料から成ってもよい。これにより、一回の工程で同時に端子と突起部を作ることができる為、工程を簡略化でき、製造コストを下げることが可能となる。
【００４３】
図４に、比較のために、従来の太陽電池部品１２１の斜視図を示す。太陽電池部品１２１は、パッケージ１２２が有する１つ以上の図示しない太陽電池セルと後述する外部の接合部材１２３とを電気的に接続するための端子１２４を面１２５に２つ備えており、全ての端子１２４は１直線上（Ｙ方向）に並んでいる。図５に示すように、太陽電池部品１２１は、例えば実装基板や電子機器の筐体である接合部材１２３上に配置した状態で既に実装面１２７に対しての平行性は失われている。また、図６に示すように、太陽電池部品１２１を接合部材１２３上に実装した後も、太陽電池部品１２１の実装面１２７に対する平行性は失われたままである。
【００４４】
図７は、本発明の実施形態に係る他の太陽電池部品１１の概略図である。太陽電池部品１１は、パッケージ１２が有する１つ以上の図示しない太陽電池セルと外部の接合部材１３とを電気的に接続するための端子１４を２つ備え、端子１４を備える面１５と同一の面１５に２つの突起部１６を備えている。太陽電池部品１１では、全ての端子１４と全ての突起部１６とは、１直線上には並んでいないが、端子１４の内の１つと突起部１６の内の１つとが、Ｘ方向またはＹ方向に並んでいても良い。また、端子１４と突起部１６とは、いずれもはんだで形成されている。端子１４と突起部１６とは、例えばはんだボールである。
【００４５】
図８は、図７の太陽電池部品１１を接合部材１３上に配置した状態を示す正面図である。接合部材１３は、例えば実装基板や電子機器の筐体である。図８に示す状態では、端子１４は、接合部材１３上のランド等と接触はしているものの、電気的な接続及び構造的な接合はされていない。
【００４６】
図９は、接合部材１３上に実装された太陽電池部品１１を示す正面図である。接合部材１３上における太陽電池部品１１の実装は、接合部材１３が実装基板であれば例えばリフローにより行われ、接合部材１３が電子機器の筐体であれば該筐体が有する接続部にはんだ付けすることにより行われる。図９に示す状態では、端子１４は、接合部材１３のランド等と電気的に接続され、かつ構造的に接合されている。図９に示したように、実装後の太陽電池部品１１は、接合部材１３の実装面１７に対して平行となる。
【００４７】
なお、太陽電池部品１１では、端子１４は２つ以上であればよく、突起部１６は１つ以上であればよい。２つ以上の端子１４と１つ以上の突起物１６とから成る３つ以上の支持部により、太陽電池部品１１は実装面１７に対して平行に保たれる。
【００４８】
また、突起部１６を形成しない代わりに、端子１４を３つ以上形成しても良い。この場合でも、３つ以上の端子１４から成る３つ以上の支持部により、太陽電池部品１１は後述する実装面１７に対して平行に保たれる。
【００４９】
太陽電池部品１１は、実装面１７に対して平行が保たれる。このため、見栄えが良いという利点がある。
【００５０】
図１０は、本発明の実施形態に係るさらに別の太陽電池部品２１の概略図である。太陽電池部品２１は、パッケージ２２が有する１つ以上の図示しない太陽電池セルと外部の接合部材２３とを電気的に接続するための端子２４を２つ備え、端子２４を備える面２５と同一の面２５に２つの突起部２６を備えている。太陽電池部品２１では、全ての端子２４と全ての突起部２６とは、１直線上には並んでいないが、端子２４の内の１つと突起部２６の内の１つとが、Ｘ方向またはＹ方向に並んでいても良い。また、端子１４と突起部１６とは、いずれもリードフレームで形成されている。リードフレームとは、太陽電池セルを有するパッケージ２２を支持固定し、太陽電池セルと接合部材２３上の配線との電気的な接続を行うフレームである。端子１４と突起部１６との形状は、例えばＬ字型である。
【００５１】
図１１は、図１０の太陽電池部品２１を接合部材２３上に配置した状態を示す正面図である。接合部材２３は、例えば実装基板や電子機器の筐体である。図１１に示す状態では、端子２４と、接合部材２３上のランドとは、予め前記ランド等に塗布された導電性ペースト２８を介し、電気的に接続されているが、構造的な接合はされていない。
【００５２】
図１２は、接合部材２３上に実装された太陽電池部品２１を示す正面図である。接合部材２３上における太陽電池部品２１の実装は、接合部材２３が実装基板であれば例えばリフローを行うことにより、導電性ペースト２８を熱硬化することにより行われる。接合部材２３が電子機器の筐体であれば、該筐体が有する接続部に塗布された導電性ペースト２８を例えば熱硬化することにより行われる。導電性ペースト２８は、熱硬化以外の方法で硬化されてもよい。図１２に示す状態では、端子２４は、接合部材２３のランド等と電気的に接続され、かつ構造的に接合されている。図１２に示したように、実装後の太陽電池部品２１は、接合部材２３の実装面２７に対して平行となる。
【００５３】
なお、太陽電池部品２１では、端子２４は２つ以上であればよく、突起部２６は１つ以上であればよい。２つ以上の端子２４と１つ以上の突起物２６とから成る３つ以上の支持部により、太陽電池部品２１は実装面２７に対して平行に保たれる。
【００５４】
また、突起部２６を形成しない代わりに、端子２４を３つ以上形成しても良い。この場合でも、３つ以上の端子２４から成る３つ以上の支持部により、太陽電池部品２１は後述する実装面２７に対して平行に保たれる。
【００５５】
太陽電池部品２１は、実装面２７に対して平行が保たれる。このため、見栄えが良いという利点がある。
【００５６】
なお、本実施の形態における突起物は、即ち電気的な接続を行わないダミー端子である。
【００５７】
本発明の電気部品は、上記いずれかの太陽電池部品を備えるので、見栄えが良いという利点がある。
【００５８】
また、前記電気部品では、前記太陽電池部品が、前記接合部材に対して、平行に保持されてもよい。
【００５９】
本発明の電子機器は、上記いずれかの太陽電池部品を備えるので、見栄えが良いという利点がある。図１９に、本発明の電子機器の一例を示す。図１９（ａ）は、本発明の太陽電池部品１を搭載した折り畳み式の携帯電話１０００を開いた状態の側面を示す図である。図１９（ｂ）は、本発明の太陽電池部品１を搭載した折り畳み式の携帯電話１０００を閉じた状態の上面を示す図である。図１９（ｃ）は、本発明の太陽電池部品１を搭載した折り畳み式の携帯電話１０００を閉じた状態の側面を示す図である。図１９（ｄ）は、本発明の太陽電池部品１を搭載した折り畳み式の携帯電話１０００を閉じた状態の下面を示す図である。
【００６０】
本実施形態の携帯電話１０００は、図１９（ａ）に示すように、折り畳み式となっている。キーパネル面１０１０を備える筐体２０１０と情報表示面１０２０を備える筐体２０２０とが、ヒンジ部１０４０を中心として、一定の角度で見開くようになっている。太陽電池部品１は、図１９（ｂ）に示すように、キーパネル面１０１０に対して反対側の面に取り付けられている。また、図１９（ｄ）に示すように、情報表示面１０２０に対して反対側の面にも、太陽電池部品１が取り付けられている。したがって、図１９（ｃ）に示したように、携帯電話１０００を閉じた状態にでは、その上面および下面に太陽電池部品１が取り付けられていることになる。なお、図１９（ｂ）に示した１０６０は、カメラ用のレンズを表し、１０８０は、バッテリー収納部の蓋を表している。
【００６１】
本実施形態では、折り畳み式の携帯電話１０００を示したが、必ずしも折り畳み式の携帯電話１０００である必要はない。また、２個の太陽電池部品１を搭載させたが、１個または３個以上でも適用できることは言うまでもない。
【００６２】
〔実施の形態２〕
本発明の他の実施形態についておよび図１３〜図１８に基づいて説明すると以下の通りである。なお、本実施形態において説明すること以外の構成は、前記実施の形態１と同じである。また、説明の便宜上、前記実施の形態１の図面に示した部材と同一の機能を有する部材については、同一の符号を付し、その説明を省略する。
【００６３】
図１３は、本発明の実施形態に係る太陽電池部品３１を裏面から見た平面図である。ここで裏面とは、後述する面３５である。
【００６４】
太陽電池部品３１は、パッケージ３２が有する１つ以上の図示しない太陽電池セルと後述する外部の接合部材３３とを電気的に接続するための端子３４を４つ備え、端子３４を備える面３５と同一の面３５に４つの突起部３６を備えている。太陽電池部品３１では、全ての端子３４と全ての突起部３６とは、１直線上には並んでいない。また、突起部３６は、端子３４よりも太陽電池部品３１の外周部に近い位置に形成されている。さらに、端子３４と突起部３６とは、いずれもはんだで形成されている。端子３４と突起部３６とは、例えばはんだボールである。
【００６５】
図１４は、図１３の太陽電池部品３１を接合部材３３上に配置した状態を示す正面図である。接合部材３３は、例えば実装基板や電子機器の筐体である。図１４に示す状態では、端子３４は、接合部材３３上のランド等と接触はしているものの、電気的な接続及び構造的な接合はされていない。
【００６６】
図１５は、接合部材３３上に実装された太陽電池部品３１を示す正面図である。接合部材３３上における太陽電池部品３１の実装は、接合部材３３が実装基板であれば例えばリフローにより行われ、接合部材３３が電子機器の筐体であれば該筐体が有する接続部にはんだ付けすることにより行われる。図１５に示す状態では、端子３４は、接合部材３３のランド等と電気的に接続され、かつ構造的に接合されている。図１５に示したように、実装後の太陽電池部品３１は、接合部材３３の実装面３７に対して平行となる。
【００６７】
図１６（ａ）及び図１６（ｂ）は、図１５の太陽電池部品３１と太陽電池部品３１を実装した接合部材３３とが熱せられ、変形した状態を示す正面図（模式図）である。また、図１７に、比較のために、図１５の太陽電池部品３１において、突起部３６を持たない従来の太陽電池部品４１を面３５から見た平面図を示す。さらに、図１８（ａ）及び図１８（ｂ）は、図１５の太陽電池部品３１において、突起部３６を持たない太陽電池部品４１と太陽電池部品４１を実装した接合部材３３とが熱せられ、変形した状態を示す正面図（模式図）である。
【００６８】
図１６（ａ）及び図１８（ａ）は、接合部材側の熱膨張係数が太陽電池部品側の熱膨張係数よりも大きい場合の模式図である。図１６（ｂ）及び図１８（ｂ）は、太陽電池部品側の熱膨張係数が接合部材側の熱膨張係数よりも大きい場合の図である。
【００６９】
本実施の形態２に係る太陽電池部品３１では、図１６（ａ）及び図１６（ｂ）に示すいずれの場合においても、端子３４よりも外側に設けられた突起部３６が、端子３４に印加される応力を緩和する。
【００７０】
これに対して、従来の太陽電池部品４１では、図１８（ａ）及び図１８（ｂ）に示すいずれの場合においても、太陽電池部品４１の熱膨張係数と接合部材３３の熱膨張係数との差異により生じる応力は、全て端子３４に印加される。
【００７１】
従って、本実施の形態２に係る太陽電池部品３１では、従来の太陽電池部品４１に比べ、実装後の信頼性が向上する。
【００７２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７３】
本発明の太陽電池部品は、見栄えが良いという利点があるので、太陽光などの光により発電を行う太陽電池部品およびこれを搭載した電気部品、電子機器に好適に用いることが出来る。
【符号の説明】
【００７４】
１、１１、２１、３１  太陽電池部品
２、１２、２２、３２  パッケージ
３、１３、２３、３３  接合部材
４、１４、２４、３４  端子
５、１５、２５、３５  面（接合面と対向する面）
６、１６、２６、３６  突起部
７、１７、２７、３７  実装面（接合部材の接合面）
２８  導電性ペースト
１０００  携帯電話
１０１０  キーパネル面
１０２０  情報表示面
１０４０  ヒンジ部
１０６０  カメラ用レンズ
１０８０  バッテリー収納部の蓋
２０１０  キーパネル面１０１０を備える筐体
２０２０  情報表示面１０２０を備える筐体
【図１】
2011023672.tif 000003
【図２】
2011023672.tif 000004
【図３】
2011023672.tif 000005
【図４】
2011023672.tif 000006
【図５】
2011023672.tif 000007
【図６】
2011023672.tif 000008
【図７】
2011023672.tif 000009
【図８】
2011023672.tif 000010
【図９】
2011023672.tif 000011
【図１０】
2011023672.tif 000012
【図１１】
2011023672.tif 000013
【図１２】
2011023672.tif 000014
【図１３】
2011023672.tif 000015
【図１４】
2011023672.tif 000016
【図１５】
2011023672.tif 000017
【図１６】
2011023672.tif 000018
【図１７】
2011023672.tif 000019
【図１８】
2011023672.tif 000020
【図１９】
2011023672.tif 000021
【図２０】
2011023672.tif 000022
【図２１】
2011023672.tif 000023
【図２２】
2011023672.tif 000024